(57)【要約】【課題】構成が簡素で、しかも、コンパクトな、２つの接続対象物間を接続する回転構造のコネクタを提供する。【解決手段】コネクタ６１とコネクタ７１は、基板８１と基板９１を接続する。基板８１上には、第１ハウジング６２が取り付けられ、第１ハウジング６２には、第２ハウジング６３が回転軸６３ａを中心として９０°右回転可能に保持される。コンタクト６４は、基板８１から第１ハウジング６２を経て第２ハウジング６３の嵌合ガイド部６３ｄまで配設される。基板９１上には、第１ハウジング７２が取り付けられ、第１ハウジング７２には、第２ハウジング７３が回転軸７３ａを中心として９０°左回転可能に保持される。コンタクト７４は、基板９１から第１ハウジング７２を経て第２ハウジング７３の嵌合穴７３ｃまで配設される。まず、第２ハウジング７３が矢印方向に２点鎖線の位置まで回転する。次に、第２ハウジング６３が矢印方向に２点鎖線の位置まで回転する。すると、両コネクタ６１，７１は、嵌合する。【選択図】  図４
2009016071.tif 000002
【特許請求の範囲】
【請求項１】
２つの接続対象物間を接続するコネクタにおいて、
前記コネクタは、コンタクトと、前記コンタクトを保持するハウジングとを有し、
前記コンタクトは、一方の接続対象物と接続する端子部と、他方の接続対象物の相手接触部と接続する接触部とを有し、
前記ハウジングは、第１ハウジングと、嵌合前の位置と嵌合位置との間で前記第１ハウジングに回転可能に保持される第２ハウジングとから構成され、
前記端子部は前記第１ハウジングに配設され、前記接触部は前記第２ハウジングに配設され、
前記第２ハウジングが前記嵌合位置に回転することにより、前記接触部と前記他方の接続対象物の相手接触部とが接続することを特徴とするコネクタ。
【請求項２】
請求項１記載のコネクタと接続する前記他方の接続対象物において、
前記他方の接続対象物は、相手コンタクトと、前記相手コンタクトを保持する相手ハウジングとを有し、
前記相手コンタクトは、相手端子部と、前記相手接触部とを有し、
前記相手ハウジングは、第１相手ハウジングと、嵌合前の位置と嵌合位置との間で前記第１相手ハウジングに回転可能に保持される第２相手ハウジングとから構成され、
前記相手端子部は前記第１相手ハウジングに配設され、前記相手接触部は前記第２相手ハウジングに配設され、
前記第２相手ハウジングが前記嵌合位置に回転することにより、前記相手接触部と前記コネクタの接触部とが接続することを特徴とする他方の接続対象物。
【発明の詳細な説明】
【技術分野】
【０００１】
本発明は、２つの接続対象物間を接続する回転構造のコネクタに関する。
【背景技術】
【０００２】
従来の回転コネクタについて本出願前に頒布された刊行物の図９〜図１３を引用して説明する（例えば、特許文献１参照。）。
【０００３】
この回転コネクタは、プラグ側コネクタ３とレセプタクル側コネクタ５とで構成される。
【０００４】
プラグ側コネクタ３は、プラグ側インシュレータ３１と、このプラグ側インシュレータ３１に設けられたプラグ側コンタクト３２と、コンタクト整列板３３とを備える。
【０００５】
プラグ側インシュレータ３１は、挿入部３１１と、板状部３１２とを有する。これら挿入部３１１、及び板状部３１２は、樹脂により一体成形されている。挿入部３１１は円板部３１１ａと軸部３１１ｂとからなる。円板部３１１ａの厚さ方向両端面は平坦面になっている。軸部３１１ｂは円板部３１１ａの中心部に設けられている。板状部３１２は挿入部３１１の側面に設けられている。板状部３１２の一端部には切欠き３１２ａが形成されている。板状部３１２の一端部の両側にはボルト挿通孔３１２ｂが設けられている。このボルト挿通孔３１２ｂ及び第１のプリント基板（図示せず）のボルト挿通孔にボルト（図示せず）を通し、このボルトにナット（図示せず）を螺合させることにより、板状部３１２の一端部は第１のプリント基板に固定される。
【０００６】
プラグ側コンタクト３２は、プラグ側インシュレータ３１に上下２段に６本ずつ設けられている。各プラグ側コンタクト３２は、プラグ側接触部３２ａと、接続部３２ｂと、連結部３２ｃとを有する。プラグ側接触部３２ａは、薄板状で、平坦であり、円板部３１１ａの厚さ方向両端面上に配置されている。プラグ側接触部３２ａが円板部３１１ａの厚さ方向両端面上に配置された状態で、プラグ側接触部３２ａの表面は、円板部３１１ａの厚さ方向両端面と同一面となる。また、プラグ側接触部３２ａは、円弧状であり、仮想同心円３０に沿って延びている。接続部３２ｂはピン状であり、円板部３１１ａの厚さ方向に延びている。接続部３２ｂは第１のプリント基板のスルーホール（図示せず）に半田付けされる。連結部３２ｃはピン状であり、プラグ側接触部３２ａと接続部３２ｂとを連結している。連結部３２ｃの一部はプラグ側インシュレータ３１に埋め込まれている。
【０００７】
コンタクト整列板３３は板状であり、板状部３１２の切欠き３１２ａ内に配置されている。コンタクト整列板３３は１２個の挿通孔３３ａを有する。これらの挿通孔３３ａは２列に配列されている。これらの挿通孔３３ａにプラグ側コンタクト３２の接続部３２ｂを通すことにより、接続部３２ｂは整列される。
【０００８】
レセプタクル側コネクタ５は、レセプタクル側インシュレータ５１と、このレセプタクル側インシュレータ５１に設けられたレセプタクル側コンタクト５２と、ロック解除部材５３と、コンタクト整列板５４とを備える。
【０００９】
レセプタクル側インシュレータ５１は、一対の挟持体５１１と、固定部５１２とを有する。一対の挟持体５１１及び固体部５１２は、樹脂により一体成形されている。一対の挟持体５１１は互いに同形状であり、その厚さ方向で間隔をあけて対向する。挟持体５１１はほぼ半円形の板状である。挟持体５１１は、ロック部５１１ａと、嵌合ガイド部５１１ｂ（図１２、図１３参照）と、ガイド溝５１１ｃ（図１１（Ｅ）参照）とを有している。ロック部５１１ａは、一方向に沿って延びており、バネ片５１１ｄと、突起５１１ｅと、係合片５１１ｆとからなる（図１２、図１３参照）。バネ片５１１ｄは短冊状であり、弾性を有する。突起５１１ｅは、バネ片５１１ｄの一端に設けられ、傾斜面５１１ｇとロック面５１１ｈとを有する。係合片５１１ｆは突起５１１ｅの一端に設けられ、傾斜面５１１ｉを有する。固定部５１２はブロック状であり、その厚さ方向両端面に挟持体５１１が設けられている。固定部５１２の中央部には切欠き５１２ａが形成されている。固定部５１２の両側部にはボルト挿通孔５１２ｂが設けられている。これらのボルト挿通孔５１２ｂ及び第２のプリント基板（図示せず）のボルト挿通孔にボルト（図示せず）を通し、このボルトにナット（図示せず）を螺合することにより、固定部５１２は第２のプリント基板に固定される。また、固定部５１２は湾曲面５１２ｃを有する（図１１（Ｆ）参照）。この湾曲面５１２ｃはプラグ側インシュレータ３１の挿入部３１１の側面を受け止める。
【００１０】
レセブタクル側コンタクト５２は、一対の挟持体５１１の内側面に６本ずつ設けられている。各レセプタクル側コンタクト５２は、レセプタクル側接触部５２ａと、バネ部５２ｂと、接続部５２ｃと、連結部５２ｄとを有する。レセプタクル側接触部５２ａはローラである。バネ部５２ｂは短冊状であり、ローラ５２ａを支持するとともにローラ５２ａをプラグ側接触部３２ａに押し付ける。バネ部５２ｂの一部はレセプタクル側インシュレータ５１に支持されている。接続部５２ｃはピン状であり、挟持体５１１の厚さ方向に延びている。接続部５２ｃは第２のプリント基板のスルーホール（図示せず）に半田付けされる。連結部５２ｄはピン状であり、バネ部５２ｂと接続部５２ｃとを連結している。
【００１１】
ロック解除部材５３はその両側に凸片５３ａ（図１１（Ｅ）参照）を有する。これらの凸片５３ａをガイド溝５１１ｃに挿入することにより、ロック解除部材５３は前述の一方向に移動可能となる。
【００１２】
コンタクト整列板５４は板状であり、固定部５１２の切欠き５１２ａ内に配置されている。コンタクト整列板５４は１２個の挿通孔５４ａを有する。これらの挿通孔５４ａは２列に配列されている。これらの挿通孔５４ａにレセプタクル側コンタクト５２の接続部５２ｃを通すことにより、接続部５２ｃは整列される。
【００１３】
次にこの回転コネクタの動作について説明する。
【００１４】
まず、プラグ側コネクタ３とレセプタクル側コネクタ５とが嵌合するとき、プラグ側インシュレータ３１の挿入部３１１が仮想同心円３０の径方向に沿ってレセプタクル側インシュレータ５１の一対の挟持体５１１間に挿入される。このとき、プラグ側インシュレータ３１の軸部３１１ｂがレセプタクル側インシュレータ５１の嵌合ガイド部５１１ｂ間に挿入される。これにより、軸部３１１ｂが嵌合ガイド部５１１ｂによって一方向に案内されるので、プラグ側コネクタ３とレセプタクル側コネクタ５とは一方向に沿って嵌合する。軸部３１１ｂが一方向に沿って進み、突起５１１ｅの傾斜面５１１ｇに接触すると、突起５１１ｅは軸部３１１ｂによって押し退けられる。プラグ側コネクタ３は円板部３１１ａがレセプタクル側インシュレータ５１の湾曲面５１２ｃに突き当たったところで止まる（図１２参照）。このとき、突起５１１ｅが軸部３１１ｂを乗り越え、軸部３１１ｂと突起５１１ｅのロック面５１１ｈとが接触する。したがって、軸部３１１ｂの一方向の動きは、円板部３１１ａと湾曲面５１２ｃとの接触、及び軸部３１１ｂとロック面５１１ｈとの接触により阻止される。また、軸部３１１ｂの左右方向（一方向及び軸部３１１ｂの軸方向に直交する方向）の動きは、軸部３１１ｂと嵌合ガイド部５１１ｂとの接触により阻止される。このように、軸部３１１ｂは一方向及び左右方向に動くことができないが、軸部３１１ｂはどこにも固着されていないので、回転は可能となる。したがって、軸部３１１ｂはレセプタクル側インシュレータ５１に回転可能に支持されるので、プラグ側コネクタ３は軸部３１１ｂを中心にして図９（Ｂ）中の仮想線で示すように回転する。
【００１５】
プラグ側コネクタ３とレセプタクル側コネクタ５とを離脱させるとき、レセプタクル側インシュレータ５１に装着されたロック解除部材５３が軸部３１１ｂの方に移動させられる。そうするとロック解除部材５３がレセプタクル側インシュレータ５１の係合片５１１ｆの傾斜面５１１ｉと接触し、係合片５１１ｆがロック解除部材５３によって跳ね上げられる。その後、ロック解除部材５３が係合片５１１ｆの下に入る（図１３参照）。これに伴い、突起５１１ｅが上方へ移動し、軸部３１１ｂから離れる。これにより、プラグ側コネクタ３が離脱方向に移動可能となり、プラグ側コネクタ３が引き抜かれる。
【００１６】
プラグ側コネクタ３とレセプタクル側コネクタ５とが嵌合・離脱するとき、レセプタクル側コンタクト５２のローラ５２ａは挿入部３１１の円板部３１１ａ上を転がる。また、プラグ側コネクタ３がレセプタクル側コネクタ５に対して相対的に回転するとき、ローラ５２ａは挿入部３１１の円板部３１１ａ上に配置されたプラグ側接触部３２ａ上を転がり、常にプラグ側接触部３２ａと導通する。
【００１７】
コネクタと相手側コネクタとが接続した後の位置ずれを吸収することができるフローティング構造は、本出願前に頒布された刊行物に記載されている（例えば、特許文献２参照。）。
【００１８】
【特許文献１】特開２００２−１５１２２５号公報
【特許文献２】特開２００６−５９７８８号公報
【発明の開示】
【発明が解決しようとする課題】
【００１９】
前記従来の回転コネクタは、構成が複雑で、しかも、大型化せざるを得ない。
【００２０】
そこで、本発明は、前記従来の回転コネクタの欠点を改良し、構成が簡素で、しかも、コンパクトな、２つの接続対象物間を接続する回転構造のコネクタを提供しようとするものである。
【課題を解決するための手段】
【００２１】
本発明は、前記課題を解決するため、次の手段を採用する。
【００２２】
１．２つの接続対象物７１，８１間を接続するコネクタ６１において、前記コネクタは、コンタクト６４と、前記コンタクトを保持するハウジング６２，６３とを有し、前記コンタクトは、一方の接続対象物８１と接続する端子部６４ａと、他方の接続対象物７１の相手接触部７４ｂと接続する接触部６４ｂとを有し、前記ハウジングは、第１ハウジング６２と、嵌合前の位置と嵌合位置との間で前記第１ハウジングに回転可能に保持される第２ハウジング６３とから構成され、前記端子部は前記第１ハウジングに配設され、前記接触部は前記第２ハウジングに配設され、前記第２ハウジングが前記嵌合位置に回転することにより、前記接触部と前記他方の接続対象物の相手接触部とが接続するコネクタ。
【００２３】
２．前記１記載のコネクタと接続する前記他方の接続対象物７１において、前記他方の接続対象物は、相手コンタクト７４と、前記相手コンタクトを保持する相手ハウジング７２，７３とを有し、前記相手コンタクトは、相手端子部７４ａと、前記相手接触部７４ｂとを有し、前記相手ハウジングは、第１相手ハウジング７２と、嵌合前の位置と嵌合位置との間で前記第１相手ハウジングに回転可能に保持される第２相手ハウジング７３とから構成され、前記相手端子部は前記第１相手ハウジングに配設され、前記相手接触部は前記第２相手ハウジングに配設され、前記第２相手ハウジングが前記嵌合位置に回転することにより、前記相手接触部と前記コネクタの接触部とが接続する他方の接続対象物。
【発明の効果】
【００２４】
明細書の説明から明らかなように、本発明は、次の効果を奏する。
【００２５】
１．本発明は、第１ハウジング又は第１相手ハウジングと、第１ハウジング又は第１相手ハウジングに回転可能に保持される第２ハウジング又は第２相手ハウジングと、コンタクト又は相手コンタクトとから構成されるので、簡素で、しかも、嵌合時に低背となる。
【００２６】
２．部品点数が少なく、構造が簡単であるため、組立分解を容易に行うことができる。
【発明を実施するための最良の形態】
【００２７】
本発明の２つの実施例のコネクタについて説明する。
【実施例１】
【００２８】
本発明の実施例１について図１〜図６を参照して説明する。
【００２９】
図１は、一方のコネクタ６１と他方のコネクタ７１とが嵌合する前の状態の斜視図である。
【００３０】
図２は、一方のコネクタ６１の第２ハウジング６３（回転部、図４参照）が一方の基板８１に直交して位置するが、他方のコネクタ７１の第２ハウジング７３（回転部）が回転して他方の基板９１に平行に位置する嵌合前の状態の斜視図である。
【００３１】
図３は、図２の状態において、一方のコネクタ６１の第２ハウジング６３が回転して一方の基板８１に平行に位置する嵌合状態の斜視図である。
【００３２】
本発明の実施例１の構造を図４〜図６を参照して詳細に説明する。
【００３３】
図４の左側に示されるように、一方の基板８１上には、一方のコネクタ６１の第１ハウジング（ベースインシュレータ）６２が取り付けられる。第１ハウジング６２には、回転軸及び軸穴構造（図６を参照して後述する。）によって第２ハウジング６３が約９０°の範囲で基板８１と直交する初期位置と他方のコネクタ７１と嵌合する嵌合位置との間で回転可能に取り付けられる。コンタクト６４は、一方の基板８１上の端子（図示せず）と接続する端子部６４ａから第１ハウジング６２の内側６２ａに沿い、続いて、Ｕ字形状に折曲し、更に、第２ハウジング６３の回転軸６３ａを囲むようにＵ字形状に折曲し、更に、延伸して第２ハウジング６３の内側６３ｂと嵌合凹部６３ｃに沿い、嵌合板部６３ｆの外側まで配設される。嵌合板部６３ｆを囲うコンタクト６４の部分が、接触部６４ｂである。なお、第２ハウジング６３の図４における最上部に、自動実装用の吸着面６３ｅが設けられる。
【００３４】
図４の右側に示されるように、他方の基板９１上には、他方のコネクタ７１の第１ハウジング（ベースインシュレータ）７２が取り付けられる。第１ハウジング７２には、回転軸及び軸穴構造（図６を参照して後述する。）によって第２ハウジング７３が約９０°の範囲で基板９１と直交する初期位置と一方のコネクタ６１と嵌合する嵌合位置との間で回転可能に取り付けられる。コンタクト７４は、他方の基板９１上の端子（図示せず）と接続する端子部７４ａから第１ハウジング７２の内側７２ａに沿い、続いて、Ｕ字形状に折曲し、更に、第２ハウジング７３の回転軸７３ａを囲むようにＵ字形状に折曲し、更に、延伸して第２ハウジング７３の内側７３ｂと嵌合穴７３ｃまで配設される。嵌合穴７３ｃ内に位置するコンタクト７４の部分が、接触部７４ｂである。なお、第２ハウジング７３の図４における最上部に、自動実装用の吸着面７３ｄが設けられる。
【００３５】
図４において、まず、他方のコネクタ７１の第２ハウジング７３が、他方の基板９１に直交する実線位置から矢印方向に９０°左回転すると、他方の基板９１に平行な２点鎖線位置まで至る。次に、一方のコネクタ６１の第２ハウジング６３が、一方の基板８１に直交する実線位置から矢印方向に９０°右回転すると、一方の基板８１に平行な２点鎖線位置まで至る。すなわち、この状態が、図５に示される嵌合状態である。
【００３６】
この際、両方のコネクタ６１，７１の第２ハウジング６３，７３は、２箇所でＵ字形状に折曲されているコンタクト６４，７４によってそれぞれフローティングされる。嵌合ガイド６３ｄの先端部が最初に嵌合穴７３ｃに挿入され、ガイドされることにより、一方のコネクタ６１の嵌合ガイド６３ｄは、他方のコネクタ７１の嵌合穴７３ｃに適確に挿入し、コンタクト６４は、コンタクト７４と確実に接触する。
【００３７】
一方のコネクタ６１と他方のコネクタ７１が図４の嵌合前状態（初期位置）から図５の嵌合状態までに至る過程の操作について、図６を参照して説明する。
【００３８】
（Ａ）〜（Ｅ）において、他方のコネクタ７１の第２ハウジング７３に設けられているトラック状の回転軸７３ａは、第１ハウジング７２に設けられている軸穴７２ｂに挿入されている。軸穴７２ｂは、扇形部７２ｂ１、上側凹部７２ｂ２及び左側凹部７２ｂ３を有する。
【００３９】
（Ａ）においては、回転軸７３ａの上部が上側凹部７２ｂ２にはまっているので、第２ハウジング７３は第１ハウジング７２に対して回転することができない。
【００４０】
コンタクト７４の弾性によって、第２ハウジング７３が常時ロック位置に付勢されている。
【００４１】
（Ａ）における第２ハウジング７３を（Ｂ）における矢印方向に手指によって押すと、回転軸７３ａの下部が軸穴７２ｂの扇形部７２ｂ１に当接するまで、第２ハウジング７３は移動し、回転軸７３ａの上部は上側凹部７２ｂ２から脱出する。
【００４２】
続いて、（Ｃ）に示されるように、第２ハウジング７３を回転軸７３ａを中心として左回転すると、回転軸７３ａの下部は扇形部７２ｂ１の円弧面に沿って移動し、（Ｄ）の状態に至る。
【００４３】
（Ｄ）においては、第２ハウジング７３は他方の基板９１に平行に位置する。
【００４４】
第２ハウジング７３から手指を離すと、第２ハウジング７３は、コンタクト７４の弾性によって（Ｅ）に示される嵌合位置に移動する。この位置では、回転軸７３ａの上部が軸穴７２ｂの左側凹部７２ｂ３に係合しているので、第２ハウジング７３は右回転しない。
【００４５】
（Ｆ）〜（Ｊ）において、一方のコネクタ６１の第２ハウジング６３に設けられている回転軸６３ａは、第１ハウジング６２に設けられている軸穴６２ｂに挿入されている。回転軸６３ａが有する突起６３ａ１は、軸穴６２ｂの内面に形成されている第１突起６２ｂ１に対して係合離脱することができる。しかし、突起６３ａ１が軸穴６２ｂの内面に形成されている第２突起６２ｂ２に当接した後は、第２ハウジング６３は右回転することができない。
【００４６】
（Ｆ）においては、回転軸６３ａの突起６３ａ１が軸穴６２ｂの突起６２ｂ１に係合しているので、第２ハウジング６３は右回転することができない。
【００４７】
コンタクト６４の弾性によって、第２ハウジング６３が常時ロック位置に付勢されている。
【００４８】
（Ｆ）における第２ハウジング６３を（Ｇ）における矢印方向に手指によって押すと、回転軸６３ａの下部が軸穴６２ｂの下部に当接するまで、第２ハウジング６３は移動し、回転軸６３ａの突起６３ａ１は軸穴６２ｂの第１突起６２ｂ１との係合から離脱する。
【００４９】
続いて、（Ｈ）に示されるように、第２ハウジング６３を回転軸６３ａを中心として右回転すると、突起６３ａ１は、軸穴６２ｂの第１突起６２ｂ１との係合から離脱し、第２突起６２ｂ２に当接する。したがって、第２ハウジング６３の回転は、停止する。
【００５０】
更に、（Ｉ）に示されるように、コンタクト６４の弾性によって第２ハウジング６３を右上方向に移動させ、第１突起６２ｂ１と係合し、左回転への回転が阻止される。その後、更に右回転する。
【００５１】
すると、（Ｊ）と（Ｅ）に示されるように、一方のコネクタ６１は、他方のコネクタ７１と嵌合する。
【００５２】
本実施例では、第２ハウジング６３，７３の移動をコンタクト６４，７４の弾性力によって行ったが、別体の弾性部材（スプリング、板バネ等）を設けて、これにより行うようにしても良い。
【実施例２】
【００５３】
本発明の実施例２について図７と図８を参照して説明する。実施例２については、実施例１と同様な点の説明を省略し、相違する点の説明を行う。
【００５４】
実施例２の他方のコネクタ７１は、回転しないタイプである。ハウジング７５は、唯一であり、他方の基板９１に取り付けられる。コンタクト７６は、他方の基板９１上の端子と接続する端子部７６ａからハウジング７５の嵌合穴７５ｃまで配設される。嵌合穴７５ｃ内に位置するコンタクト７６の部分が、接触部７６ｂである。
【００５５】
本実施例１，２の構成では、製作を簡易に行え、コストが安価となる。
【図面の簡単な説明】
【００５６】
【図１】本発明の実施例１における一方のコネクタが他方のコネクタと嵌合する前の状態の斜視図であり、コンタクトは省略してある。
【図２】実施例１における一方のコネクタが他方のコネクタ（ただし、第２ハウジングの回転後）と嵌合する前の状態の斜視図であり、コンタクトは省略してある。
【図３】実施例１における一方のコネクタが他方のコネクタと嵌合した状態の斜視図であり、コンタクトは省略してある。
【図４】実施例１における一方のコネクタが他方のコネクタと嵌合する前の状態の断面図である。
【図５】実施例１における一方のコネクタが他方のコネクタと嵌合した状態の断面図である。
【図６】（Ａ）〜（Ｊ）は、実施例１における一方のコネクタと他方のコネクタが嵌合する前の状態から嵌合した状態までに至る過程の諸正面図である。
【図７】本発明の実施例２における一方のコネクタが他方のコネクタと嵌合する前の状態の正面図である。
【図８】実施例２における一方のコネクタが他方のコネクタと嵌合した状態の正面図である。
【図９】従来の回転コネクタを示し、（Ａ）は正面図、（Ｂ）は平面図、（Ｃ）は（Ｂ）における矢印方向に見たＡ−Ａ線による断面図である。
【図１０】同回転コネクタにおけるプラグ側コネクタを示し、（Ａ）は正面図、（Ｂ）は平面図、（Ｃ）は底面図、（Ｄ）は左側面図、（Ｅ）は右側面図である。
【図１１】同回転コネクタにおけるレセプタクル側コネクタを示し、（Ａ）は正面図、（Ｂ）は平面図、（Ｃ）は底面図、（Ｄ）は左側面図、（Ｅ）は右側面図、（Ｆ）は（Ａ）における矢印方向に見たＢ−Ｂ線による断面図である。
【図１２】同回転コネクタのロック状態を示し、（Ａ）は平面図、（Ｂ）は（Ａ）における矢印方向に見たＣ−Ｃ線による断面図である。
【図１３】同回転コネクタのロック解除状態を示し、（Ａ）は平面図、（Ｂ）は（Ａ）における矢印方向に見たＤ−Ｄ線による断面図である。
【符号の説明】
【００５７】
６１      一方のコネクタ
６２      第１ハウジング（ベースインシュレータ）
６２ａ    内側
６２ｂ    軸穴
６２ｂ１  第１突起
６２ｂ２  第２突起
６３      第２ハウジング
６３ａ    回転軸
６３ａ１  突起
６３ｂ    内側
６３ｃ    嵌合凹部
６３ｄ    嵌合ガイド
６３ｅ    吸着面
６３ｆ    嵌合板部
６４      コンタクト
６４ａ    端子部
６４ｂ    接触部
７１      他方のコネクタ、接続対象物
７２      第１ハウジング（ベースインシュレータ）、第１相手ハウジング
７２ａ    内側
７２ｂ    軸穴
７２ｂ１  扇形部
７２ｂ２  上側凹部
７２ｂ３  左側凹部
７３      第２ハウジング、第２相手ハウジング
７３ａ    回転軸
７３ｂ    内側
７３ｃ    嵌合穴
７３ｄ    吸着面
７４      コンタクト、相手コンタクト
７４ａ    端子部、相手端子部
７４ｂ    接触部、相手接触部
７５      ハウジング
７５ｃ    嵌合穴
７６      コンタクト
７６ａ    端子部
７６ｂ    接触部
８１      一方の基板、接続対象物
９１      他方の基板
【図１】
2009016071.tif 000003
【図２】
2009016071.tif 000004
【図３】
2009016071.tif 000005
【図４】
2009016071.tif 000006
【図５】
2009016071.tif 000007
【図６】
2009016071.tif 000008
【図７】
2009016071.tif 000009
【図８】
2009016071.tif 000010
【図９】
2009016071.tif 000011
【図１０】
2009016071.tif 000012
【図１１】
2009016071.tif 000013
【図１２】
2009016071.tif 000014
【図１３】
2009016071.tif 000015